【手続補正書】
【提出日】令和2年4月22日(2020.4.22)
【手続補正１】
【補正対象書類名】特許請求の範囲
【補正対象項目名】全文
【補正方法】変更
【補正の内容】
【特許請求の範囲】
【請求項１】
患者の複数の歯をモデリングするための歯列矯正仮想モデリングシステムであって、
前記歯列矯正仮想モデリングシステムは、処理回路を備えるサーバを備え、
前記処理回路は、
仮想モデリングファイルの符号化された情報が、各治療ステップのための別個の仮想モデリングファイルなしで歯列矯正治療計画のすべての複数の治療ステップを表示するように、前記歯列矯正治療計画と共に符号化された前記仮想モデリングファイルを受信し、
前記仮想モデリングファイルの前記複数の治療ステップのうちの第１の治療ステップをダウンロードし、
前記第１の治療ステップに対応する歯肉のジオメトリおよび歯のジオメトリを受信し、
前記第１の治療ステップを表示し、
前記複数の治療ステップから選択された、表示すべき治療ステップの要求を送信し、
前記選択された治療ステップが前記第１の治療ステップであるか否かを判定し、
前記選択された治療ステップが前記第１の治療ステップであるときに、前記第１の治療ステップに対応する前記歯肉のジオメトリおよび前記歯のジオメトリを表示し、
前記選択された治療ステップが前記第１の治療ステップでないときに、前記仮想モデリングファイルの前記選択された治療ステップをダウンロードし、
前記選択された治療ステップに対応する上顎弓および下顎弓のそれぞれ関する複数の歯の変換行列および歯肉の変換ベクトルを受信し、
前記選択された治療ステップに基づいて、各歯に関する所定の変換行列を適用し、
現在表示されているステップが前記第１の治療ステップでないときに、前記現在表示されている治療ステップの歯肉のジオメトリを、前記第１の治療ステップに対応する歯肉のジオメトリに変換し、
前記選択された治療ステップに基づいて、前記歯肉のジオメトリに変換ベクトルを適用し、
各治療ステップに対して別個のファイルを作成することなしに前記仮想モデリングファイルに符号化された情報に基づいて、前記選択された治療ステップに対応する前記歯肉のジオメトリおよび前記歯のジオメトリを表示するように構成される、
歯列矯正仮想モデリングシステム。
【請求項２】
前記仮想モデリングファイルは、前記歯列矯正治療計画が前記複数の治療ステップの各治療ステップのための複数のセクションに分割された状態で符号化され、
前記複数のセクションは、上顎弓変換行列、上顎歯肉のジオメトリ、前記複数の歯の各歯に関する上顎ジオメトリ、下顎歯肉のジオメトリ、各歯に関する下顎ジオメトリ、複数の上顎歯肉変換ベクトル、各歯に関する複数の上顎変換ベクトル、複数の下顎歯肉変換ベクトル、および各歯に関する複数の下顎変換ベクトルを含む、
請求項１に記載の歯列矯正仮想モデリングシステム。
【請求項３】
前記処理回路はさらに
前記選択された治療ステップが前記上顎弓に対応するか否かを判定し、
仮想モデリングレンダラ上で上顎弓変換行列を適用するように構成される、
請求項２に記載の歯列矯正仮想モデリングシステム。
【請求項４】
前記選択された治療ステップにおける前記歯の移動のための前記上顎弓変換行列は、１６ビット浮動小数点数の４×４行列である、
請求項３に記載の歯列矯正仮想モデリングシステム。
【請求項５】
前記選択された治療ステップに対応する前記歯肉を修正するための前記複数の変換ベクトルは、３Ｄベクトルのリストを含み、
前記３Ｄベクトルのリストにおけるベクトルの数が前記歯肉のジオメトリの頂点の数に比例する、
請求項４に記載の歯列矯正仮想モデリングシステム。
【請求項６】
歯列矯正仮想モデリングファイルフォーマットから患者の複数の歯を治療するための歯列矯正治療計画を表示する方法であって、
仮想モデリングファイルフォーマットの符号化された情報が、各治療ステップのための別個の仮想モデリングファイルなしで歯列矯正治療計画のすべての複数の治療ステップを表示するように、前記歯列矯正治療計画と共に符号化された仮想モデリングファイルを受信するステップと、
前記仮想モデリングファイルフォーマットの前記複数の治療ステップの第１の治療ステップを、処理回路を介してダウンロードするステップと、
前記第１の治療ステップに対応する歯肉のジオメトリおよび歯のジオメトリを、前記処理回路を介して受信するステップと、
前記第１の治療ステップを、前記処理回路を介して表示するステップと、
前記複数の治療ステップから選択された、表示すべき治療ステップの要求を、前記処理回路を介して送信するステップと、
前記処理回路を介して、前記選択された治療ステップが前記第１の治療ステップであるか否かを判定するステップと、
前記選択された治療ステップが前記第１の治療ステップであるときに、前記第１の治療ステップに対応する前記歯肉のジオメトリおよび前記歯のジオメトリを、前記処理回路を介して表示するステップと、
前記選択された治療ステップが前記第１の治療ステップでないときに、前記仮想モデリングファイルの前記選択された治療ステップを、前記処理回路を介してダウンロードするステップと、
前記選択された治療ステップに対応する上顎弓および下顎弓のそれぞれに関する複数の歯の変換行列および歯肉の変換ベクトルを、前記処理回路を介して受信するステップと、
前記選択された治療ステップに基づいて、各歯に関する所定の変換行列を、前記処理回路を介して適用するステップと、
現在表示されているステップが前記第１の治療ステップでないときに、前記現在表示されている治療ステップの歯肉のジオメトリを、前記第１の治療ステップに対応する歯肉のジオメトリに、前記処理回路を介して変換するステップと、
前記選択された治療ステップに基づいて、前記歯肉のジオメトリに変換ベクトルを、前記処理回路を介して適用するステップと、
各治療ステップに対して別個のファイルを作成することなしに前記仮想モデリングファイルに符号化された情報に基づいて、前記選択された治療ステップに対応する前記歯肉のジオメトリおよび前記歯のジオメトリを、前記処理回路を介して表示するステップと、
を含む、歯列矯正治療計画を表示する方法。
【請求項７】
前記仮想モデリングファイルフォーマットは、前記歯列矯正治療計画が前記複数の治療ステップの各治療ステップのための複数のセクションに分割された状態で符号化され、
前記複数のセクションは、上顎弓変換行列、上顎歯肉のジオメトリ、前記複数の歯の各歯に関する上顎ジオメトリ、下顎歯肉のジオメトリ、各歯に関する下顎ジオメトリ、複数の上顎歯肉変換ベクトル、各歯に関する複数の上顎変換ベクトル、複数の下顎歯肉変換ベクトル、および各歯に関する複数の下顎変換ベクトルを含む、
請求項６に記載の方法。
【請求項８】
前記処理回路を介して、前記選択された治療ステップが前記上顎弓に対応するか否かを判定するステップと、
前記処理回路を介して、仮想モデリングレンダラ上で上顎弓変換行列を適用するステップと、
をさらに含む、
請求項７に記載の方法。
【請求項９】
前記選択された治療ステップにおける前記歯の移動のための前記上顎弓変換行列は、１６ビット浮動小数点数の４×４行列である、
請求項８に記載の方法。
【請求項１０】
前記選択された治療ステップに対応する前記歯肉を修正するための前記複数の変換ベクトルは、３Ｄベクトルのリストを含み、
前記３Ｄベクトルのリストにおけるベクトルの数が前記歯肉のジオメトリの頂点の数に比例する、
請求項９に記載の方法。
【請求項１１】
コンピュータによって実行されたときに、前記コンピュータに対して、歯列矯正仮想モデリングファイルフォーマットから患者の複数の歯を治療するための歯列矯正治療計画を表示する方法を実行させる、コンピュータ可読命令を記憶する非一時的コンピュータ可読記憶媒体であって、
前記方法は、
仮想モデリングファイルフォーマットの符号化された情報が、各治療ステップのための別個の仮想モデリングファイルなしで前記歯列矯正治療計画のすべての複数の治療ステップを表示するように、前記歯列矯正治療計画と共に符号化された仮想モデリングファイルを受信するステップと、
前記仮想モデリングファイルフォーマットの前記複数の治療ステップのうちの第１の治療ステップをダウンロードするステップと、
前記第１の治療ステップに対応する複数の歯肉のジオメトリおよび歯のジオメトリを受信するステップと、
前記第１の治療ステップを表示するステップと、
前記複数の治療ステップから選択された、表示すべき治療ステップの要求を送信するステップと、
前記選択された治療ステップが前記第１の治療ステップであるか否かを判定するステップと、
前記選択された治療ステップが前記第１の治療ステップであるときに、前記第１の治療ステップに対応する前記歯肉のジオメトリおよび前記歯のジオメトリを表示するステップと、
前記選択された治療ステップが前記第１の治療ステップでないときに、前記仮想モデリングファイルの前記選択された治療ステップをダウンロードするステップと、
前記選択された治療ステップに対応する上顎弓および下顎弓のそれぞれに関する複数の歯の変換行列および歯肉の変換ベクトルを受信するステップと、
前記選択された治療ステップに基づいて、各歯に関する所定の変換行列を適用するステップと、
現在表示されている治療ステップが前記第１の治療ステップでないときに、前記現在表示されている治療ステップの歯肉のジオメトリを、前記第１の治療ステップに対応する歯肉のジオメトリに変換するステップと、
前記選択された治療ステップに基づいて、前記歯肉のジオメトリに変換ベクトルを適用するステップと、
各治療ステップに対して別個のファイルを作成することなしに前記仮想モデリングファイルに符号化された情報に基づいて、前記選択された治療ステップに対応する前記歯および前記歯肉のジオメトリを表示するステップと、
を含む、非一時的コンピュータ可読記憶媒体。
【請求項１２】
前記仮想モデリングファイルは、前記歯列矯正治療計画が各治療ステップのための複数のセクションに分割された状態で符号化され、
前記複数のセクションは、上顎弓変換行列、上顎歯肉のジオメトリ、前記複数の歯の各歯に関する上顎ジオメトリ、下顎歯肉のジオメトリ、各歯に関する下顎ジオメトリ、複数の上顎歯肉変換ベクトル、各歯に関する複数の上顎変換ベクトル、複数の下顎歯肉変換ベクトル、および各歯に関する複数の下顎変換ベクトルを含む、
請求項１１に記載の非一時的コンピュータ可読記憶媒体。
【請求項１３】
前記方法は、
前記選択された治療ステップが前記上顎弓に対応するか否かを判定するステップと、
仮想モデリングレンダラ上で上顎弓変換行列を適用するステップと、
をさらに含む、
請求項１２に記載の非一時的コンピュータ可読記憶媒体。
【請求項１４】
前記選択された治療ステップにおける前記歯の移動のための前記上顎弓変換行列は、１６ビット浮動小数点数の４×４行列であり、
前記選択された治療ステップに対応する前記歯肉を修正するための前記複数の変換ベクトルは、３Ｄベクトルのリストを含み、
前記３Ｄベクトルのリストにおけるベクトルの数が前記歯肉のジオメトリの頂点の数に比例する、
請求項１３に記載の非一時的コンピュータ可読記憶媒体。